(57)【要約】      （修正有）【課題】業者に依頼して本格的な防音工事を短期間で安価に行うことができると共に、一般人であっても、簡易な防音工事により屋内の防音性を高めることができる断熱防音パネルを提供する。【解決手段】フェノール樹脂の連続気泡体による発泡体板１１の少なくとも両面に、アクリルシリコンエマルション塗料による塗料層１４を形成した断熱防音パネル１０とする。【選択図】図１
0003201771.tif 000002
【実用新案登録請求の範囲】
【請求項１】
フェノール樹脂の連続気泡体による発泡体板の少なくとも両面に、アクリルシリコンエマルション塗料による塗料層を形成したことを特徴とする断熱防音パネル。
【請求項２】
前記アクリルシリコンエマルション塗料は、セラミックビーズを含有する塗料であることを特徴とする請求項１に記載した断熱防音パネル。
【請求項３】
前記フェノール樹脂の発泡体板は、気泡径が０．１mm前後であることを特徴とする請求項１又は請求項２に記載した断熱防音パネル。
【請求項４】
前記断熱防音パネルは、厚さ３cm、幅３０cm、長さ６０cmの板状体であることを特徴とする請求項１乃至請求項３の何れかに記載した断熱防音パネル。
【請求項５】
前記断熱防音パネルは、重さが１５０ｇ前後であることを特徴とする請求項４に記載した断熱防音パネル。
【請求項６】
前記断熱防音パネルは、一方の面に接着部が形成されていることを特徴とする請求項１乃至請求項５の何れかに記載した断熱防音パネル。
【考案の詳細な説明】
【技術分野】
【０００１】
本考案は、建物の天井や壁などを断熱防音壁とするための断熱防音パネルに関するものです。
【背景技術】
【０００２】
今日、家庭では、周囲への騒音対策を行わなければ楽器の練習などの大きな音を発する行為を行えない場合が多く、また、共同住宅などの家屋では、隣室からの騒音が気になることが有り、一般家庭においても防音対策の認識が高まっている。
【０００３】
そして、新築の建物においては、天井や壁に遮音構造を組み込んだ防音室を設けた建物を予め建築することもあるも、多くの場合、防音用の内装材を建物の壁や天井等に貼り付ける防音工事を所要の部屋に施すことによる防音対策が行われている。
【０００４】
更に、近年、省エネルギー対策として、冷暖房効率を高くした住居等が求められ、断熱効果の高い天井や壁等を構築することも多く、新築時に断熱効果を配慮した外壁内装を構築する場合のみでなく、建物の外壁面の内面又は外面等に断熱材を貼り付けて断熱壁とすることも行われている。
【０００５】
この断熱防音対策としては、例えば特許文献１に示されるように、発泡合成樹脂のフレームに繊維材を充填することにより吸音断熱層を形成し、樹脂フィルムにより吸音断熱層を被覆した防音断熱構造体を建築用構造パネルと合わせて防音断熱パネルとし、この防音断熱パネルにより建物の床や壁、天井を構築することや、建築用構造パネルと組み合わせていない防音断熱構造体自体を接着剤等によって建物の壁や天井に張り付けることにより、断熱効果をも備えた防音室を構築すること、が提案されている。
【先行技術文献】
【特許文献】
【０００６】
【特許文献１】特開２０１５−０１０４５０
【考案の開示】
【考案が解決しようとする課題】
【０００７】
既存の建物（部屋）に断熱防音工事を施すことは、通常、業者に工事を依頼して行い、時間や手数、費用を要することになる。
【０００８】
本考案は、業者に依頼して本格的な断熱防音工事を短期間で安価に行うことができると共に、一般人であっても、簡易な断熱防音工事により屋内の防音性及び断熱性を高めることができる断熱防音パネルを提供するものです。
【課題を解決するための手段】
【０００９】
本考案に係る断熱防音パネルは、フェノール樹脂の連続気泡体による発泡体板の少なくとも両面に、アクリルシリコンエマルション塗料による塗料層を形成したことを特徴とするものです。
【００１０】
また、前記アクリルシリコンエマルション塗料は、セラミックビーズを含有する塗料としたことを特徴とするものです。
【００１１】
更に、前記フェノール樹脂の発泡体板は、気泡径が０．１mm前後であることを特徴とするものです。
【００１２】
そして、前記断熱防音パネルは、厚さ３cm、幅３０cm、長さ６０cmの板状体であることを特徴とするものです。
【００１３】
また、前記断熱防音パネルは、重さを１５０ｇ前後とするものです。
【００１４】
そして、前記断熱防音パネルは、一方の面に接着部が形成されていることを特徴とするものです。
【考案の効果】
【００１５】
本考案に係る断熱防音パネルは、フェノール樹脂の連続気泡体による発泡体板の両面に、アクリルシリコンエマルション塗料による塗料層を形成した板状体であるから、軽量にして取り扱いが容易であり、吸音性及び断熱性を有して防音壁を容易に形成することができるものです。
【００１６】
また、アクリルシリコンエマルション塗料は、セラミックビーズを含有する塗料としているため、断熱性及び防音性や耐久性をより高めた断熱防音パネルとすることができるものです。
【００１７】
更に、フェノール樹脂の連続気泡体板は、気泡径を０．１mm前後としているため、低音域から高音域までの広範囲の吸音性及び防音性を備え、且つ、断熱性を備えた断熱防音パネルとすることができるものです。
【００１８】
そして、厚さ３cm、幅３０cm、長さ６０cmの板状体の前記断熱防音パネルとするため、貼り付け工事等に際しての取り扱いが容易な断熱防音パネルとすることができ、複数枚を用いて建物の天井や壁を容易に断熱防音壁とすることができるものです。
【００１９】
また、前記断熱防音パネルは、重さが１５０ｇ前後とするものであるから、軽量で取り扱いが容易であると共に、発泡体板の発泡率が高く、広範囲の音域の吸音性及び防音性の高い断熱防音パネルとすることができるものです。
【００２０】
そして、一方の面に接着部が形成されている断熱防音パネルとすることにより、壁や天井への貼り付けを極めて容易に行うことができる断熱防音パネルとすることができるものです。
【図面の簡単な説明】
【００２１】
【図１】本考案に係る断熱防音パネルの前面斜視図。
【図２】本考案に係る断熱防音パネルの背面斜視図。
【図３】本考案に係る断熱防音パネルの一部拡大側面断面図。
【考案を実施するための形態】
【００２２】
本考案に係る断熱防音パネルは、図１及び図２に示すように、フェノール樹脂製の発泡体による板状体の表面13や裏面15及び周縁端面に、アクリルシリコンエマルション塗料の塗装を施して表塗料層14や裏塗料層16及び端部塗料層17を形成することにより、フェノール樹脂製の発泡体である発泡体板11の周囲全面をアクリルシリコンエマルション塗料の塗料層で覆った断熱防音パネル10とするものです。
【００２３】
この板状体とされるフェノール樹脂発泡体は、０．１mm前後の微小連続気泡を有する発泡体であり、１立方メートル当たりの重量が２０ｋｇ程度のフェノール樹脂軽量発泡体を用い、厚さ３cm、幅３０cm、長さ６０cm程度の板状体としているものです。
【００２４】
そして、図３に示した一部断面図のように、フェノール樹脂発泡体の板状体である発泡体板11の表面13及び裏面15である両面、更に周囲の４端面に、各々０．３mm〜０．４mm程度の厚さの塗料層を形成するように塗料を塗布することにより、表塗料層14及び裏塗料層16、端部塗料層17を形成し、その重量を１５０ｇ程度の断熱防音パネル10としているものです。
【００２５】
また、この表塗料層14及び裏塗料層16、端部塗料層17を形成する塗料は、セラミックビーズを含有したアクリルシリコンエマルション塗料、例えば商品名ガイナ（登録商標）等の塗料を使用するものです。
【００２６】
また、この断熱防音パネル10の裏面15には、図２に示したように、接着部19としての両面接着テープを少なくとも四隅近傍（図２では四隅と両側中央近傍の６箇所）に形成しているものです。
【００２７】
従って、この断熱防音パネル10は、フェノール樹脂発泡体の発泡体板11の両面及び端面である周囲全面にアクリルシリコンエマルション塗料の塗料層14,16,17を有して難燃性を備えるため、家屋の内装材として適しているものです。
【００２８】
そして、発泡体板11は、気泡径が０．１mm前後の微小気泡を連続気泡とするフェノール樹脂発泡体であって、厚さが３cm程度とされるため、低音域から高音域までの広範囲における吸音性が高く、また、衝撃音などの高エネルギー音の吸収性も高く、防音性に優れ且つ断熱性にも優れた断熱防音パネル10とすることができるものです。
【００２９】
また、フェノール樹脂発泡体の発泡体板11の両面に、アクリルシリコンエマルション塗料による塗料層14,16を設けているため、断熱防音パネル10の表面における接着力を高め、且つ、耐水性、耐油性、耐候性などの耐久性を高めることもできるものです。
【００３０】
更に、セラミックビーズを含有させたアクリルシリコンエマルション塗料による塗料層は、断熱性及び防音性を高めることができると共に、結露防止性や防菌性が高く、また、イオン化作用を有して空気の質改善性を備え、不燃性も有するため、このアクリルシリコンエマルション塗料による表塗料層14及び裏塗料層16を有する断熱防音パネル10は、家屋の内装材に極めて適しているものです。
【００３１】
そして、１枚が１５０ｇ程度と軽く、一人で手軽に取り扱うことができる大きさ及び軽さであって、天井や壁に手軽に貼り付けることができ、十数枚乃至数十枚の断熱防音パネル10を用いて家屋の壁面等を断熱防音壁とすることを容易に行うことができるものです。
【００３２】
更に、フェノール樹脂発泡体の発泡体板11は、気泡径が０．１mm程度の微小連続気泡を有する発泡体であって、１立方メートル当たりの重量が２０ｋｇ程度の高発泡率とされており、低音域から高音域までの広範囲の音域での吸収率が高く、且つ、高エネルギー音の吸収率も高くして防音性を高くすることができるものです。
【００３３】
また、裏面15に接着部19としての両面接着テープを設けているため、両面接着テープの剥離紙を剥がして断熱防音パネル10を壁や天井に押し付けることにより、壁や天井の表面に断熱防音パネル10を極めて容易に貼り付けることができるものです。そして、順次断熱防音パネル10を相互に端部を接合させて壁面等に貼り付けることにより、天井や壁面を断熱防音壁とすることが容易にできるものです。
【００３４】
更に、この断熱防音パネル10は、厚さが３cm程度の板状フェノール樹脂の軽量な微小発泡体であるため、カッター等により容易に切断加工することができ、壁や天井の形に合わせて断熱防音パネル10を継ぎ合わせるようにして容易に貼り付けることができるものです。
【００３５】
尚、切断することによって発泡体板11が露出する切断面は、他の断熱防音パネル10の端面に接合させるか、天井や壁面等の隅角に位置させ、切断面が室内空間に露出しないように天井や壁面に張り付けることが好ましいものです。
【００３６】
また、図１乃至図３に示した実施の形態では、断熱防音パネル10として発泡体板11の表裏両面及び周囲の４端面にアクリルシリコンエマルション塗料の塗料層14,16,17を形成していますが、周囲端面の端部塗料層17を省略し、端面は断熱防音パネル10を相互に接続すると共に相互に接続しない端面を天井や壁面等の隅角に位置させるように並べ、屋内空間に表塗料層14を露出させた断熱防音壁を形成するようにすることもあるものです。
【００３７】
そして、接着部19は、両面接着テープによって形成する場合に限ることなく、面ファスナーを接着部19として断熱防音パネル10の一方の面（裏面15）に張り付けておき、天井や壁面等の貼り付け対象とした壁面等の平面に対して、断熱防音パネル10に張り付けた面ファスナーと接合可能な面ファスナー（例えばフック型面ファスナーに対するループ型面ファスナー）を対応ファスナーとして固定し、対応ファスナーを固定した平面に当該断熱防音パネル10を押し付けるようにして貼り付けて固定することもあるものです。
【００３８】
また、この接着部19としては、断熱防音パネル10の裏面15において少なくとも四隅近傍に設けることが好ましいものですが、図２に示したように四隅以外を含むより多くの場所に接着部19を設ける場合、また、四隅を含むことなく、断熱防音パネル10の裏面中央近辺に面積の比較的大きな接着部19を形成するように設けることもあるものです。
【００３９】
更に、断熱防音パネル10の裏面15には接着部19を設けることなく、断熱防音パネル10を壁や天井に張り付けるに際して、断熱防音パネル10の一面の所要個所又は断熱防音パネル10を貼り付ける対象面に接着剤を塗布することにより、断熱防音パネル10を壁や天井に張り付けることもできるものです。
【００４０】
そして、断熱防音パネル10の厚さとしては、３cmに限るものでなく、発泡体板11の厚さを５cm程度とし、断熱防音性をより高める場合がり、また、発泡体板11の厚さを２.５cm程度とし、壁を断熱防音壁とする場合に比較的狭い部屋における空間面積の減少を少なくする場合も有るものです。
【００４１】
更に、断熱防音パネル10の大きさに関しても、幅３０cm、長さ６０cmに限るものでなく、幅を５０cm乃至６０cm程度とし、また、長さは９０cm乃至１００cm程度として、１枚で天井や壁を覆う面積を大きくして１枚での貼り付けによる断熱防音面積を広くしつつ、一人で取り扱うに際しても、取り扱いが容易な大きさ及び重量の範囲とすることもあるものです。
【００４２】
この様に、本考案の断熱防音パネル10は、フェノール樹脂発泡体を吸音材とする断熱防音パネル10であって、軽量で取り扱いが容易であり、発泡体板11の少なくとも両面にアクリルシリコンエマルション塗料の塗料層14,16が形成されているため、耐久性を有すると共に壁面等への貼り付けを容易に行い、天井や壁を断熱防音壁とすることを容易に行えるものです。
【００４３】
そして、本実施の形態における断熱防音パネル10は、セラミックビーズを含有したアクリルシリコンエマルション塗料で覆われているため、不燃性を有するのみでなく、断熱保温効果が高く、天井や外壁の屋内面に張り付けることにより、天井や壁面の全面を覆うように貼り付けない場合であっても、天井面や壁面における伝熱面積を減少させ、屋内の保温を良好とし、屋内冷暖房の効率を高くすることができるものです。
【００４４】
更に、セラミックビーズを含有したアクリルシリコンエマルション塗料は、音を塗料層内で反射制振することで吸音性を有し、フェノール樹脂発泡体の発泡体板11と相俟って、断熱防音パネル10を貼り付けた壁面により防音効果を高めるのみでなく、当該断熱防音パネル10を貼り付けた天井や壁面の内外の騒音を吸収し、天井や壁面の全面を覆うように貼り付けない場合であっても、屋内の静寂性を高めることもできるものです。
【００４５】
そして、セラミックビーズを含有したアクリルシリコンエマルション塗料は、室内の空気中の水分に作用してマイナスイオン化させ、空気の質を改善することができ、本実施の形態の断熱防音パネル10を天井や壁面に張り付けることにより、浮遊塵埃を減少させることや細菌の繁殖抑制を行い、屋内を快適な生活空間とすることもできるものです。
【００４６】
また、この断熱防音パネル10は、そのまま屋内の内装材として使用し、発泡体板11の表面に塗布するアクリルシリコンエマルション塗料の色を選択して、屋内の美観を維持したり高めたりすることもできるものです。
【００４７】
このように、本実施の形態における断熱防音パネル10は、業者の職人に限ることなく一般人であっても、天井や壁面へ容易に貼り付けることのできる断熱防音パネル10であって、屋内空間を快適な生活空間に変更することを容易に行うことができるものです。
【産業上の利用可能性】
【００４８】
本考案に係る断熱防音パネル10は、フェノール樹脂発泡体を吸音材とする板状体の少なくとも両面にアクリルシリコンエマルション塗料の塗料層14,16を形成したものであるため、軽量で取り扱いが容易であり、耐久性を有して壁面等に接着を容易且つ良好に行うことができ、屋内の天井や壁等に断熱防音処理を施すことを容易に可能とするものです。
【符号の説明】
【００４９】
１０  断熱防音パネル
１１  発泡体板
１３  表面                      １４  表塗料層
１５  裏面                      １６  裏塗料層
１７  端部塗料層
１９  接着部
【図１】
0003201771.tif 000003
【図２】
0003201771.tif 000004
【図３】
0003201771.tif 000005